Podtech/llm-jp-corpus-v4-ja_patent huggingface dataset:
(57)【要約】      （修正有）【課題】便器清掃用具自身が直接排泄物に触れない衛生的な便器清掃用具を供給する。【解決手段】分岐栓３よりホース５等を接続し、その先の小さな穴より水４を流出させる出水口を設け、ボタンやレバー等で出水を制御し、出水された水の圧力によって、便器内に付着した排泄物を洗い流し便器１を清掃する。また、分岐栓３からの水を使用しない場合は、小型のタンクに水をためて、それをレバー等で、容器内に圧力をかけることによって出水させるような構造の持ち運び可能な便器清掃用具でも良い。【選択図】図１
2012055665.tif 000002
【特許請求の範囲】
【請求項１】
トイレ内の配水管より分岐栓を通して小さな流水口よりボタン又はレバー等で操作することによって流出させた水で、便器内に付着した排泄物を清掃する便器清掃用具。
【請求項２】
水を貯める容器と流出機器が一体となっている構造で、出水を操作するレバー等によって容器内に圧力を加えその圧力で水を流出し、便器内に付着した排泄物を清掃する便器清掃用具。
【発明の詳細な説明】
【技術分野】
【０００１】本発明は、トイレ便器内の排泄物を清掃する用具に関するものである。
【背景技術】
【０００２】従来トイレ便器内の排泄物清掃には、柄の付いたブラシ等を使用している。またトイレの水を流す際に、便器表面に薬剤が塗布されて、排泄物が流れやすくなるものや、便器内側をコーティングして、排泄物が付着しにくい便器もある。
【先行技術文献】
【０００３】
【特許文献１】特許公開２００２−３６０４６５
【発明の概要】
【発明が解決しようとする課題】
【０００４】便器内に付着した排泄物は通常の水洗では、簡単に綺麗にならない場合が多い。
また柄の付いたブラシを使用して清掃した場合、ブラシ部分に排泄物が付着し付着した排泄物を再度便器内の水で流す必要があった。また清掃した際ブラシ自身も水に濡れている為、ブラシの水をよく切ってからでないと、水滴が便器の外に垂れてしまう事もある。また薬剤を塗布するものでは、水を洗い流すたびに、薬剤を消費して少なからず環境に負荷がかかってしまう。
本発明は、以上の問題点を解決するものである。
【課題を解決するための手段】
【０００５】排泄物を小さな穴から局所的に流出させた水によって、洗い流して便器内の排泄物を清掃する。付着したばかりの便器内の排泄物は、一定以上の水圧のある水によって簡単に洗い落とすことが可能であるため、圧力を加えた局所的な水で、排泄物部分を洗い流して清掃する機器を備え付けることによって、付着して間もない便器内の排泄物を容易に清掃する事が出来る。
例えば、水洗用の配水管部分に分岐水栓を接続し、その先にホースと水を放出する器具を取り付けて、器具のボタンまたはレバーを操作することによって、水を放出し排泄物を洗い流す構造の器具を備え付ける。
簡易型としてボトルに水を貯めておきその水を水鉄砲のように圧力を掛けて、排泄物を洗い流すようなものでも構わない。
【発明の効果】
【０００６】水だけを使用することによって、簡単に便器内の排泄物を洗い流すことが可能であり、便器清掃用具自身が直接排泄物に触れないため、衛生的でもある。便器清掃用具自身を洗う必要も無い。また少ない水しか使用しないため環境負荷も低減できる。また専用の薬品も使用しないため、環境負荷が非常に少ない。
【図面の簡単な説明】
【０００７】
【図１】本発明の概略図
【図２】出水する部分の拡大図
【発明を実施するための形態】
【０００８】以下、本発明の実施形態を説明する。
（イ）便器（１）の水洗用の水道分岐水栓（３）にホース（５）を接続し、その先に出水口（２）を接続する。
（ロ）出水口（２）には、出水したり出水を止めたりすることのできる出水を制御するボタン又は、レバーがある。
（ハ）出水口（２）のボタン又はレバーを制御して、便器（１）内の排泄物に向けて水を出水させる。
本発明は、以上のような構造である。
本発明を使用するときは、出水口（２）のボタン又はレバーを制御して、便器（１）内の排泄物に向けて水を出水させる。便器（１）内の排泄物は、出水された水によって、簡単に洗い流される。排泄物が洗い流されたら、再び出水口（２）のボタン又はレバーを操作して、出水を止める。
【符号の説明】
【０００９】１便器、２出水器，３分岐栓，４水，５ホース、６ボタン
【図１】
2012055665.tif 000003
【図２】
2012055665.tif 000004
(57)【要約】【課題】野菜の皮を剥く際、ほとんど野菜を手に持ちピラーを使用している。家事に慣れない子供やお年寄りが誤って手にケガをする恐れがある。また果物の芯を抜く際、差し込み型芯抜きであると安定せず力がいる。本発明は安全に野菜の皮を剥くことができ、果物などの芯を抜くことができる器具を提供する。【解決手段】対象物の皮を剥く際、先の尖ったスクリューがついた器具に野菜をねじ込み固定するものである。誤って手に刃が接触しないようスクリューと持ち手の間に円形状の鍔を設ける。円柱状の芯抜き部分はネジ式の結合部分を設けることにより、奪着可能で対象物の芯を抜く時に装着する。後方の持ち手の部分はスクリューを回しやすいようにＴ型に設けた。【選択図】図１
2012055661.tif 000002
【特許請求の範囲】
【請求項１】
対象物を固定するためスクリュー部と吊り下げ部からなり、スクリュー部と吊り下げ部の間に鍔を設ける。また対象物の芯を抜くため円柱状芯抜き部を奪着可能とし設ける。
【請求項２】
請求項１記載のスクリュー部３／２はらせん型３／１は円錐直線型に設ける。鍔の形状は円形または楕円形、方形状に設ける。請求項１の芯抜き部は奪着可能にするため本体、芯抜き部それぞれねじ式結合部を設ける。吊り下げ部は楕円形状に開口されたＴ型に設ける。
【請求項３】
請求項２芯抜き部は対象物の形状を考慮しスクリュー部が突出するよう異なる長さのものも用意する。
【発明の詳細な説明】
【技術分野】
【０００１】本発明は野菜や果物の皮をピラーで安全に手早く剥けること、果物の芯を安定して抜くことを目的とした器具である。
【背景技術】
【０００２】野菜の皮を剥く際、縦横方向に剥けるピラーは数多くあるが野菜自体を安全に固定し、手早く皮を剥き、さらに果物の芯を少ない力で簡単に抜ける器具はあまり考えられていない。
【発明の概要】
【発明が解決しようとする課題】
【０００３】野菜の皮を剥く際、ほとんど野菜を手に持ちピラーを使用している。家事に慣れない子供やお年寄りが誤って手にケガをする恐れがある。
また果物などの芯を抜く際、差し込み型芯抜きであると安定せず力がいる。
本発明はこの問題点を解決するものである。
【課題を解決するための手段】
【０００４】野菜の皮を剥く際、先の尖ったスクリューがついた器具に野菜をねじ込み固定するものである。誤って手に刃が接触しないようスクリューと持ち手の間に円形状の鍔を設ける。
また果物などの芯を抜く際、円柱状の芯抜き部分を本体に装着し対象物にゆっくりねじ込む。後方の持ち手の部分はスクリューを回しやすいようにＴ型に設ける。
【発明の効果】
【０００５】先の尖ったスクリューがついた器具を野菜にねじ込みしっかり固定されるものである。野菜を剥く際、刃から手を遠ざけた状態で固定することでケガを防ぎ手早く安全に皮を剥くことができる。
芯を抜く際、芯抜き部分を装着し、ねじ込むことで少しの力で対象物の芯を安定して抜くことができる。
【図面の簡単な説明】
【０００６】
【図１】本発明の平面図
【図２】本発明の斜視図
【発明を実施するための形態】
【０００７】以下、本発明の実施の形態を説明する。
野菜をしっかり固定するためスクリュー部１を設けた。スクリュー部１は対象物が鍔ぎりぎりまで押し込まれピラーと鍔が接触しないように３／２らせん型、３／１円錐直線型に設ける。芯抜き部２は対象物の芯を抜くためのものであり、奪着できるよう開口部片側は芯抜き結合部７ねじ式に設けた。芯抜き部２の円直径は２〜３ｃｍ程度とする。本体結合部４は芯抜きをする際、芯抜き部分２を装着できるようねじ式で設けた。鍔３は固定した野菜をピラーなどで皮を剥く際誤って持ち手に刃が接触しないよう設ける。この時鍔３の形状は直径３〜４ｃｍ程度の円形または楕円形、方形状とし、握り部５とスクリュー部１間をさえぎる役割をする。握り部５は握りやすく野菜の重心をおさえるため成人男性が握れる長さ１０ｃｍ程度に設ける。吊り下げ部４は対象物にねじ込む際回し易いようにＴ型に設けさらに何処にでも吊り下げられるようにした。
本発明の使用する場合
皮を剥く際、対象物にある程度スクリュー部１をさし吊り下げ部４を徐所に回しねじ込む。
その後野菜がしっかり固定されていることを確認し握り部３を持ちピラーなどで皮を剥く。
果物などの芯を抜く際は、芯抜き部分２を装着し芯抜き方向を調整しながら対象物にねじ込み、ある程度抜けたら引き抜く。
【符号の説明】
【０００８】１スクリュー部  ２芯抜き部  ３鍔  ４本体結合部  ５握り部  ６吊り下げ部  ７芯抜き結合部
【図１】
2012055661.tif 000003
【図２】
2012055661.tif 000004
(57)【要約】【課題】  本発明は、包装された錠剤を簡単に押し出し包装材のアルミ箔が錠剤と一緒に落ちず、床等に落下しないことを特徴とする錠剤押し出し具を提供する。【解決手段】  押え部（１）の先端の下部にシリコンボール（４）を、受け台（３）の先端に錠剤を落し込む突起つき落し穴（５）を設け、さらに、下に錠剤溜りケース（７）を設けてケースの上部に錠剤取り出し口（６）を設けたことを特徴とする錠剤押し出し具。【選択図】図１
2012055666.tif 000002
【特許請求の範囲】
【請求項１】
押え部（１）と受け台（３）の交点にバネ（２）を設け、押え部（１）の先端の下部にシリコンボール（４）、受け台（３）の先端に錠剤を落し込む突起つき落し穴（５）を設け、さらに下に錠剤溜りケース（７）を設けてケースの上部に錠剤取り出し口（６）を設けたことを特徴とする錠剤押し出し具。
【発明の詳細な説明】
【技術分野】
【０００１】  本発明は、上部に指の腹の型をしたシリコンボールを設け、下部に錠剤を落し込む穴を設ける。
このとき、包装された錠剤が押し出しやすいように、穴の一部に突起を設けたことを特徴とする錠剤押し出し具に関するものである。
【背景技術】
【０００２】  従来、包装された錠剤は、両手で持ち錠剤の上から指で押して取り出していた。
先行技術は、パッケージ入り錠剤の取り出し具が提案されている（特許文献１参照）。
【先行技術文献】
【０００３】
【特許文献１】  特開平６−１２５９６７号公報
【発明の概要】
【発明が解決しようとする課題】
【０００４】  そのために、次のような問題点がある。
指の力が弱い人や手の不自由な人は、包装された錠剤を手で持って、錠剤を押し出すのは不便であった。
また、たとえ、錠剤を押し出しても、裏側包装材のアルミ箔が一緒にとれたり、錠剤が落下することがあった。
本発明は以上の問題点を解決するためになされたものである。
【課題を解決するための手段】
【０００５】  押え部（１）と受け台（３）の交差にバネ（２）を設け、押え部（１）の先端の下部にシリコンボール（４）、受け台（３）の先端に錠剤を落し込む突起つき落し穴（５）を設け、さらに下に錠剤溜りケース（７）を設けて、ケースの上部に錠剤取り出し口（６）を設けたことを特徴とする錠剤押し出し具。
【発明の効果】
【０００６】  本発明は、穴の部分に包装された錠剤を置き、上から押えるだけで下の錠剤溜りケースに錠剤が入り取り出し口から簡単に取り出すことができる。
【図面の簡単な説明】
【０００７】
【図１】  本発明の斜視図である。
【発明を実施するための形態】
【０００８】  以下、本発明の実施の形態について説明する。
錠剤押し出し具の突起つき落し穴（５）の上に包装された錠剤を置き、上からシリコンボール（４）で押し、下の錠剤溜りケース（７）に錠剤が落下する。
その後、錠剤取り出し口（６）より取り出す。
本発明は、包装された錠剤を簡単に押し出し、包装材のアルミ箔が一緒に落下せずに錠剤がケースの中に落ちるので、錠剤が床等に落下しないことを特徴とする錠剤押し出し具である。
以上のような構成よりなる、錠剤押し出し具に関するものである。
【符号の説明】
【０００９】１  押え部
２  バネ
３  受け台
４  シリコンボール
５  突起つき落し穴
６  錠剤取り出し口
７  錠剤溜りケース
【図１】
2012055666.tif 000003
(57)【要約】      （修正有）【課題】家庭でよく食される味噌汁作りに使用する味噌溶き器は、味噌を湯に溶かす時に服を汚したり、調理台を汚したり或いは、飛び散ったりして危険であるが、より簡単に味噌濾しができ、安全で且つ、多用途に使用できる味噌濾し容器を提供する。【解決手段】味噌濾し容器の握り柄８を手で持ち、横蓋２を上に上げ、味噌を適量掬い上げたのち、横蓋２を下げ閉める。次に容器１の両側の指掛けフック４に親指以外の指を掛け、押し蓋フック６を親指等で押し下げる。これにより連動して押し蓋３が下がり味噌濾し容器１の中の味噌が細かく糸状になって押し出され瞬時に湯に溶ける。押し下げられた押し蓋３は、押し蓋フック６から指を離すことに依り、握り柄８にセットされたスプリング７の縮む力によって、押し蓋フック６と同時に自動的に上に戻る。網目に残った味噌は前記動作を一回〜二回繰り返す或いは、容器１を軽く揺すると味噌は殆ど溶ける。【選択図】図１
2012055662.tif 000002
【特許請求の範囲】
【請求項１】
材料を掬い濾す容器１が、網目になっていて押し蓋３によって材料を押し出す構造の味噌濾し容器。
【請求項２】
請求項１の容器１の形状は、半円柱形に限定されるものではなく、三角柱形、四角柱形等の形状の味噌濾し容器
【請求項３】
容器１の中の材料を押し出すための押し蓋３及び、押し蓋アーム５は、押し蓋フック６に接続されていて、手動でも上下移動できる構造。
【請求項４】
請求項３で、押し下げられた押し蓋３及び、押し蓋フック６が、握り柄８にセットしたスプリング７のバネの力により、自動的に戻るようにした構造。
【発明の詳細な説明】
【０００１】
【技術分野】  この発明は主に味噌保存容器から、味噌を掬い、湯又は水に溶かす容器に関する。【０００２】
【背景技術】  従来から、固形味噌はスプーンなどで掬って網容器などに入れて、湯の中で掻き混ぜて濾したり、容器に味噌を入れ水を加えて擂り粉木等で掻き混ぜて溶かしたり、或いは、近年では特殊棒で適量を掬い容器の中で攪拌する方法がある。しかし乍らこれらの方法では、調理の時、手間がかかり熱湯に溶かし込む時に手或いは、服に飛び散る場合があり調理台を汚したり又、危険な場合が多い。
【先行技術文献】
【特許文献】
【発明の概要】
【発明が解決しようとする課題】  従来の方法でも目的は、ある程度達成できてはいるが、何処の家庭でも殆ど毎日食される食品である味噌汁は、より簡単に味噌濾しができ安全で且つ、多用途に使用出来る味噌濾し容器が求められている。【０００３】  本発明の味噌濾し容器はこのような調理の手間を省き且つ、安全に味噌濾しができ又、他の食材の調理例えば茶漉し、苺潰し、蜜柑絞り、茹で物掬い、茹で玉子潰し等にも使用できる容器を提供することを目的とする。
【発明を解決するための手段】
【０００４】  このような目的を達成する本発明の味噌濾し容器は、一般家庭用の味噌保存容器から味噌を適量掬い、そのまま熱湯の中で網目から味噌を押し出して瞬時に味噌を溶かすことができるようにしたものである。
【発明の効果】
【０００５】  このような本発明の味噌濾し容器によれば、従来から行われている網容器の中で攪拌する要領とは異なり、味噌保存容器から掬い上げた味噌を掻き混ぜることなく湯の中へ細かく押し出して瞬時に溶かすことができる。
【０００６】  又、本発明の味噌濾し容器は、熱湯から茹で物を掬い上げる容器にも使用でき、茹で卵の殻を剥いたのち、卵を潰す容器としても使用可能である。
【発明を実施するための形態】
【０００７】  以下、本発明の味噌濾し容器の構造と、その実施の一形態について図面を参照して説明する。
【０００８】  図１は味噌濾し容器の全体図であるが、容器の形状は、図１に示すこの形に限定されるものではない。
【０００９】  容器本体１は、味噌を掬うために、一方に横蓋２があり上下方向に開閉することができるようになっている。
【００１０】  容器本体１の上側には、掬った味噌を押し出すための押し蓋３があり、押し蓋アーム５に固定されていて、さらに押し蓋アーム５の上端は押し蓋フック６に固定されている。
【００１１】  さらに押し蓋フック６は、握り柄８に取付られたスプリング７に連結されている。
【００１２】  以下、味噌濾し容器の使用方法について説明する。
【００１３】  先ず、握り柄８を持ち味噌濾し本体１にセットされている横蓋２を上に上げ味噌を適量掬い、次に横蓋２を下げ閉じる
【００１４】  次に指掛けフック４に指を掛け乍ら押し蓋フック６を親指などで押し下げる。これにより、本体１の中の味噌が網目より細かく押し出されて分散し、湯の中に瞬時に溶け込む。
【００１５】  押し盖フック６から、押し下げた指を離すと、握り柄８に取付けられたスプリング７の縮む力により連動して押し蓋３が上に戻る。網目に残った味噌は前記動作を一回〜二回繰り返す。或いは、容器本体１を湯の中で軽く２回〜３回揺らすと味噌は全部溶ける。
【図面の簡単な説明】
【００１６】
【図１】本発明の味噌濾し容器全体の斜視図
【符号の説明】  １・・・・・・味噌濾し容器本体
２・・・・・・横蓋
３・・・・・・押し蓋
４・・・・・・指掛けフック
５・・・・・・押し蓋アーム
６・・・・・・押し蓋フック
７・・・・・・スプリング
８・・・・・・握り柄
【図１】
2012055662.tif 000003
(57)【要約】【課題】  製造コストを削減するため一回の製造行程でマスク本体とマスクの装着用部分を一体形成できる樹脂製マスクの提供を課題とする。【解決手段】  ゴム硬度０乃至１０程度の柔軟樹脂によって成形するマスク本体を切り抜き成型するかまたは型取り成型するときに、耳掛け紐状部分、顎掛けベルト部分、鼻掛けベルト部分を一体形状にしたものと、鼻掛けベルト固定用部品を同時に成形する。樹脂マスクが空気を遮断することで呼吸が出来なくなる問題は、マスク本体を成形する時にマスク本体及び鼻掛けベルト固定用部品に吸排気のための穴状部分を同時に成形して解決し、この穴状部分には粉塵や細菌などの侵入を防止するための防塵防菌フィルターを交換可能な状態で取り付けて使用する。防塵防菌フィルターを取り付けるために鼻掛けベルト固定用部品の上部に凸状部分を成形し、防塵防菌フィルター側には鼻掛けベルト固定用部品の凸状部分を差し込み固定するための切り込みを作る。【選択図】図１
2012055657.tif 000002
【特許請求の範囲】
【請求項１】
柔軟樹脂によって成形するマスク本体を切り抜き成型するかまたは型取り成型するときに、耳掛け紐状部分、顎掛けベルト部分、鼻掛けベルト部分、鼻掛けベルト固定用部品を同時に一体成形できる樹脂製マスク。
【請求項２】
鼻掛けベルト固定用部品がマスク本体と一体成形された鼻掛けベルト部分を鼻の左右から内側に引っ張ることでマスク本体が顔に沿って湾曲し、また、両耳、鼻、顎の４カ所の装着点が湾曲したマスク本体を外側に引っ張ることで、平面から成形したマスク本体が適度なドーム状となって顔面に密着する形状となる樹脂製マスク。
【請求項３】
脱落防止の顎掛けベルトをマスク本体と一体成形した樹脂製マスク。
【請求項４】
脱落防止の耳掛けベルトをマスク本体と一体成形した樹脂製マスク。
【請求項５】
脱落防止の鼻掛けベルトをマスク本体と一体成形した樹脂製マスク。
【請求項６】
マスク本体及び鼻掛けベルト固定用部品に吸排気のための穴状部分を成形し、粉塵や細菌などの侵入を防止するための防塵防菌フィルターを交換可能な状態で取り付けて使用する樹脂製マスク。
【請求項７】
鼻掛けベルト固定用部品の上部に凸状部分を成形し、鼻掛けベルト固定用部品の凸状部分を差し込み固定するための切り込みを入れることで防塵防菌フィルターを取り付けられる樹脂製マスク。
【請求項８】
防塵防菌フィルターの形状を簡素化することで使用面積を既存マスクの４分の１程度に抑えた樹脂製マスク。
【発明の詳細な説明】
【技術分野】
【０００１】  本発明は、樹脂製マスクの製造コストの削減を目的として樹脂製マスクとマスクの装着用部分を一回の行程で一体成形する方法および器具に関するものである。
【背景技術】
【０００２】  ゴムや合成樹脂などを材料としてマスクを製作する場合には、マスクの立体構造を作るために樹脂自体をドーム型に成形するか、もしくは複数の部品を組み合わせる必要があった。【０００３】  またマスクを人体に装着するためのゴム紐やベルトなどを別途に製作してこれを装着用部品として取り付ける行程が不可欠であったため、製造工程が複数となり製造費用の削減が難しかった。
【発明の概要】
【発明が解決しようとする課題】
【０００４】  製造コストを削減するため樹脂製マスクとマスクの装着用部分を一回の製造行程で一体形成する方法および器具の提供を課題とする。
【課題を解決するための手段】
【０００５】  本発明は、樹脂製マスクの製造コストを削減するため、平面樹脂素材を本発明が考案した形状に切り抜くか、もしくは液状樹脂原料を本発明が考案した形状に型取り成型することで、樹脂製マスクとマスクの装着用部分を一回の行程で一体成形する方法および器具を提供する。【０００６】  ゴム硬度０乃至１０程度の柔軟樹脂によって成形するマスク本体を切り抜き成型するかまたは型取り成型するときに、耳掛け紐状部分、顎掛けベルト部分、鼻掛けベルト部分、鼻掛けベルト固定用部品を同時に成形する。【０００７】  鼻掛けベルト固定用部品がマスク本体と一体成形された鼻掛けベルト部分を鼻の左右から内側に引っ張ることでマスク本体が顔に沿って湾曲し、また、両耳、鼻、顎の４カ所の装着点が湾曲したマスク本体を外側に引っ張ることで、平面から成形したマスク本体が適度なドーム状となって顔面に密着する形状となり樹脂製マスクとして機能する。【０００８】  次に、樹脂マスクが空気を遮断することで呼吸が出来なくなる問題はマスク本体及び鼻掛けベルト固定用部品に吸排気のための穴状部分を成形して解決し、この穴状部分には粉塵や細菌などの侵入を防止するための防塵防菌フィルターを交換可能な状態で取り付けて使用する。【０００９】  防塵防菌フィルターを取り付けるために鼻掛けベルト固定用部品の上部に凸状部分を成形し、防塵防菌フィルター側には鼻掛けベルト固定用部品の凸状部分を差し込み固定するための切り込みを作る。
【発明の効果】
【００１０】  本発明は樹脂製マスクの製造工程を短縮してコストの削減を可能とすると同時に防塵防菌フィルターの形状が簡素になり、また材料の使用面積が既存マスクの４分の１程度になることから、防塵防菌フィルターの単価も圧縮する事が出来る。【００１１】  また、本発明に関する樹脂製マスクは、鼻掛けベルト部分の成形を除外することで、両耳と顎の３装着点を持つ口腔専用マスクとして成形することが可能であり、鼻掛けベルト部分と鼻掛けベルト固定用部品および耳掛け部分を応用することによって鼻専用マスクを成形することも出来る。
【発明を実施するための形態】
【００１２】  ゴム硬度０乃至１０程度の柔軟樹脂を図１の形状に切り抜き成型するかまたは型取り成型する。
【００１３】  耳掛け部分は図１の通りマスク本体の外周部分の任意の２接点を接続状態とする幅３ｍｍ乃至６ｍｍ程度の紐状部分を成形する。
【００１４】  顎掛けベルト部分は図１の通りマスク本体の下部から幅１０ｍｍ乃至１５ｍｍ程度の部分にベルト状に切り離してベルト状の両側を幅１０ｍｍ乃至１５ｍｍ程度をマスク本体と接続状態とすることで成形する。
【００１５】  鼻掛けベルト固定用部品は図１の通りマスク本体の成形と同様の切り抜きまたは型取りの方法によって、マスク本体と同じかまたは類似の平面素材または成形原料から、本体マスクと同時に成形することも出来るし、素材面積と成形面積との兼ね合いによっては別途に成形することも出来る。
【００１６】  マスク本体には鼻掛けベルト固定用部品をマスク本体に取り付けることを目的とした幅５ｍｍ乃至１０ｍｍ程度の鼻掛けベルト固定用部品取り付けよう切り込みを鼻掛けベルト部分の両側に成形して、これに鼻掛けベルト固定用部品のフック部分を差し込んで鼻掛けベルト固定用部品を鼻掛けベルトに取り付ける。
【図面の簡単な説明】
【００１７】
【図１】本発明に係る樹脂マスクの平面図
【図１】
2012055657.tif 000003
(57)【要約】【課題】  本発明は鉄道模型におけるレール連結道床ユニットに関し、特にレールの長さや湾曲度を任意に変えることのできる鉄道模型におけるレール連結道床ユニットに関する。【解決手段】  分割された道床の上面に枕木と犬釘状レール支持部が一体的に形成されており、該犬釘状レール支持部間にレールの下部を挿通し、挿通されたレールによって分割された道床が一連に連結され、該レールを内側乃至外側に曲げると曲げ側の道床側面が相互に密着し、外側の道床側面間に間隙部が形成され、任意の曲率からなる湾曲レールを形成できるように構成した鉄道模型におけるレール連結道床ユニットを提供する。【選択図】図３
2012055659.tif 000002
【特許請求の範囲】
【請求項１】
分割された道床の上面に枕木と犬釘状レール支持部が一体的に形成されており、該犬釘状レール支持部間にレールの下部を挿通し、挿通されたレールによって分割された道床が一連に連結され、該レールを内側乃至外側に曲げると曲げ側の道床側面が相互に密着し、外側の道床側面間に間隙部が形成され、任意の曲率からなる湾曲レールを形成できるように構成したことを特徴とする鉄道模型におけるレール連結道床ユニット。
【請求項２】
長さ又は曲率に基づいて道床の数を定めたレール連結道床ユニットが、道床連結部を介して相互に連結又は離脱可能に構成したことを特徴とする請求項１記載の鉄道模型におけるレール連結道床ユニット。
【請求項３】
道床および道床上面の枕木と犬釘状レール支持部とがプラスチックによって一体的に形成されており、犬釘状レール支持部間に下部を挿通して支持されたレールが、電導性及び可撓性を有する金属材料からなることを特徴とする請求項１記載の鉄道模型におけるレール連結道床ユニット。
【発明の詳細な説明】
【技術分野】
【０００１】  本発明は鉄道模型におけるレール連結道床ユニットに関し、特にレールの長さや湾曲度を任意に変えることのできる鉄道模型におけるレール連結道床ユニットに関する。
【背景技術】
【０００２】  従来、鉄道模型におけるレールの湾曲を任意に形成する発明が種々公開されている。
これまでの典型的な構造には、特開昭５６−３０８７号や特開２０００−３３１８５号等の公報が発行されている。
【先行技術文献】
【特許文献】
【０００３】
【特許文献１】  特開昭５６−３０８７号
【特許文献２】  特開２０００−３３１８５号
【発明の概要】
【発明が解決しようとする課題】
【０００４】  前記せる先行技術文献の特開昭５６−３０８７号は、可撓自在の連続ウエブによって枕木を櫛形構造に互いに連結してなるものであって、任意の長さや湾曲度に調整する場合には不十分であった。【０００５】  また、前記せる先行技術文献の特開２０００−３３１８５号の場合は、ポリスチレン等からなる矩形のブロックの両サイドから交互に間隙を開けてＶ字形の溝を形成し、相互に連結している構造体であって、更に延長方向に徐々に勾配をつけてある道床構造体であり本件の場合も任意の長さや湾曲度に調整する場合には不十分であった。
【課題を解決するための手段】
【０００６】  本発明者らは前記せる課題を解決するために鋭意研究を重ね、本発明を完成させたものであり、分割された道床の上面に枕木と犬釘状レール支持部が一体的に形成されており、該犬釘状レール支持部間にレールの下部を挿通し、挿通されたレールによって分割された道床が一連に連結され、該レールを内側乃至外側に曲げると曲げ側の道床側面が相互に密着し、外側の道床側面間に間隙部が形成され、任意の曲率からなる湾曲レールを形成できるように構成したことを特徴とし、長さ又は曲率に基づいて道床の数を定めたレール連結道床ユニットが、道床連結部を介して相互に連結又は離脱可能に構成したことを特徴とし、道床および道床上面の枕木と犬釘状レール支持部とがプラスチックによって一体的に形成されており、犬釘状レール支持部間に下部を挿通して支持されたレールが、電導性及び可撓性を有する金属材料からなることを特徴とする鉄道模型におけるレール連結道床ユニットを提供する。
【発明の効果】
【０００７】  本発明は、以上のような構成であるので、鉄道模型のレールの長さの調節や任意の曲率からなる湾曲レールを形成できるように構成した鉄道模型におけるレール連結道床ユニットであるので、変化に富んだレールの敷設はマニアの関心が極めて高いものであった。
【図面の簡単な説明】
【０００８】
【図１】  本発明の鉄道模型におけるレール連結道床ユニットの斜視図である。
【図２】  図１の底面から見た斜視図である。
【図３】  本発明の鉄道模型におけるレール連結道床ユニットを曲げた状態の部分拡大斜視図である。
【図４】  図３の底面から見た斜視図である。
【発明を実施するための形態】
【０００９】  以下、図面に基づいて、本発明を実施するための形態を具体的に説明する。
図１は分割された道床３の上面に枕木５と犬釘状レール支持部５１が一体的に形成されており、該犬釘状レール支持部５１間にレール２の下部を挿通し、挿通されたレール２によって分割された道床３が一連に連結され、該レール２を内側乃至外側に曲げると曲げ側の道床３側面が相互に密着し、外側の道床３側面間に間隙部３１が形成され、任意の曲率からなる湾曲レールを形成できる。
【００１０】  設計したレール２の長さ又は曲率に基づいて道床３の数を定めて、犬釘状レール支持部５１間にレール２の下部を挿通した、レール連結道床ユニット１は、道床連結部４を介して相互に連結又は離脱可能に構成されている。
【００１１】  道床３および道床３上面の枕木５と犬釘状レール支持部５１とはプラスチックによって一体的に形成されており、犬釘状レール支持部５１間に下部を挿通して支持されたレール２は、電導性及び可撓性を有する金属材料から形成されている。
【産業上の利用可能性】
【００１２】  本発明の鉄道模型におけるレール連結道床ユニットは、道床３が分割されているので、設計したレール２の長さ又は曲率に基づいて道床３の数を定めて、犬釘状レール支持部５１間にレール２の下部を挿通して完成できるので、マニアにとって自由に好みにあった設計をして、それを実現できるので、本発明によれば変化に富んだレールの敷設を、マニアの好みによる個性的な敷設に調整することができる。
【符号の説明】
【００１３】  １．レール連結道床ユニット
２．レール
３．道床
３１．間隙部
４．道床連結部
５．枕木
５１．犬釘状レール支持部
【図１】
2012055659.tif 000003
【図２】
2012055659.tif 000004
【図３】
2012055659.tif 000005
【図４】
2012055659.tif 000006
(57)【要約】      （修正有）【課題】水を加熱し湯を沸かす方法が、ステンレスやアルミ容器を使用する事が多く、鉄の湯沸し容器を使う機会が少なくなり、湯を飲むことによる鉄分摂取が出来ない為、体の鉄分不足が社会問題になっている。【解決手段】湯を沸かす時、湯の中に鉄分を溶け込ます事を目的とした物で、湯沸し鍋の底に沸騰蒸気抜きの穴４を設けた鉄板１を敷いて過熱して湯を沸かし、鉄分を溶かし出した湯を飲む事により鉄分不足を解決し健康状態を改善する事が出来る。【選択図】図１
2012055654.tif 000002
【特許請求の範囲】
【請求項１】
体の鉄分不足を解決する為、鍋の底に置いて湯を沸かし、その時溶け出した鉄分を含んだ湯を摂取吸収する為の鉄板で、沸騰蒸気を通過させるための蒸気抜き穴を設けた物。
【発明の詳細な説明】
【技術分野】
【０００１】本発明は、湯を沸かす時、湯の中に鉄分を溶け込ます事を目的とした物で、その湯を飲む事により、２価鉄と言う吸収率の良い鉄分を摂取吸収する事が可能となり、現代人に多い鉄分不足の健康状態を改善する事が出来る。
【背景技術】
【０００２】現代では、湯を沸かすと言えば、錆びない、汚れ難い、軽い、保守が簡単、等の理由から電気ポットやステンレスやアルミのヤカン、鍋等が殆どだが、沸かした湯の中に鉄分を溶かし出す事が出来ない事と鉄以外の不純物である金属イオンやプラスチック、アルミの為、湯の味が悪く健康にも悪い等の欠点が在る。
【発明の開示】
【発明が解決しょうとする課題】
【０００３】現代人は、鉄分不足による不健康が多いと言われているが、その理由の一つに料理や湯沸しに鉄製の器具を使う事が少なくなり、飲食による鉄分吸収が少なくなった事と言われている。昔は囲炉裏に鉄鍋を吊るし、竈に鉄鍋を掛けての料理や鉄瓶による湯沸しをしていた為、現在より鉄分摂取の機会が多かったと言われている。一日に必要とされる鉄分は、男性で１０ｍｇ、女性で１２ｍｇと言われ、特に女性は一回の生理で２０ｍｇの鉄分を失う事により鉄分不足による貧血が多いのだが、食物に含まれる栄養素の鉄分は、野菜の中に３価鉄、また動物性食品の中にヘム鉄として含まれているが、３価鉄の吸収率は２〜５パーセント、ヘム鉄の吸収率は１５〜２５パーセントと低い。これは、体は２価鉄の状態でしか吸収する事が出来ないため、３価鉄は体内でビタミンＣによって還元され２価鉄に変化する必要が、またヘム鉄はヘムが取れて２価鉄に変化してからでないと吸収されない為である。この様に吸収率が低いため、より多くの鉄分を摂取する必要が有る。しかし、気づかないうちに、体内の「鉄分」が不足してしまうことがあり、より多くの「鉄分」吸収の機会を増やす事は健康に有利と言える。もし余剰になっても肝臓、脾臓、骨髄に蓄積鉄として蓄えられる事になる。
【課題を解決するための手段】
【０００４】本発明は、鉄分不足による不健康を解消する為、鍋の底に鉄板を敷いて湯沸しをすることにより湯の中に鉄分を溶け出させ、この湯を料理、炊飯、お茶、白湯等で摂取する事で鉄分不足を解決する。湯が沸騰した時、主に鍋の底と鉄板の間から沸騰蒸気が発生する為、鉄板が鍋底から持ち上げられ、振動する事を防ぐため鉄板に蒸気抜きの穴を設ける。また、鉄板の下面に突起を取り付け、鍋底から１〜２ｍｍ浮かすことにより沸騰蒸気の流れをよりスムースにすると同時に、鉄の溶けた湯を回収する時、鉄板下面に溶け出して溜まった鉄分を回収し易くする事が出来る。また、鉄板中央にネジ穴を設け、このネジ穴に柄付の長ネジをねじ込んで鍋底から鉄板を取り出し易くする。
【発明の効果】
【０００５】この発明は、現代、錆びない事が主な理由でアルミ、ステンレスを使った湯沸しシステムが多く使われているが、これを改良して、鉄を使うシステムにする事により鉄分を含んだ湯を沸かす事が可能となり、これを摂取する事で健康に寄与する事が出来る。成人の体内には、約３ｇの鉄分があると言われていて、そのうちの６０％が、血中ヘモグロビンの構成成分として、身体のすみずみに酸素を運搬する手助けをしていると言われている。湯沸しも鉄分が十分溶け込んだ湯を摂取する事は健康効果を期待する事が出来る。お茶やコーヒーなどに含まれるタンニンには、鉄と結びついて吸収率を下げる働きがあり、鉄と結びついたタンニンはタンニン鉄となり、水に溶け難くなるので、腸での吸収が妨げられ、その結果、鉄分吸収率も低下してしまう。そこで、鉄分欠乏患者に鉄分サプリなどの摂取において、お茶などの同時摂取を控えるよう言われてきたが、タンニンと結合して鉄分の吸収率が低下しても影響を受けないほど鉄分の量の方が多ければ、不足を補うという点では同時に摂取してもそれほど心配するほどの影響は無くなる。
【発明を実施するための最良の形態】
【０００６】飲用の湯を沸かす事はその湯を使った料理やお茶を美味しくすることが出来る事と健康に良い事の２つの要件を満たす必要が有る。一般の湯沸しの殆どはステンレスやアルミを使っているが、ステンレスはクロムやニッケル等の金属イオンが溶け出すためイオン臭を感じる。またアルミは金属イオン臭こそ少ないが、一説によるとアルツハイマー病の原因とも言われ不健康の原因と言える。そこで、湯沸し鍋をチタン製の物にして底に鉄純度が９９，９９パーセント程度の純鉄製の鉄板を置いて沸かす事により、金属イオン臭が無く、甘味を感じる純粋な鉄分が溶け込んだ飲用の湯を沸かす事が出来る。鋳物の鉄釜や鉄瓶は鋳込む時、溶解鉄の流動性を良くし巣の発生を防ぐ為と溶解温度を下げる為に様々な元素を添加するが、不純物となり金属イオン臭の原因となると共に鉄分が溶け出すことを阻害する。チタン鍋と純鉄板を組み合わせた湯沸しシステムで沸かした湯は鉄分の溶け出し効率が極めて良い。この事は、鉄純度の悪い鋳造鉄釜と同じ条件で湯を沸かして比較する事で分る。この湯を使った料理やお茶は味の良いものとなる。また、この組み合わせの鍋は電磁加熱ヒーターにも対応する事が出来る。
【図面の簡単な説明】
【０００７】
【図１】鍋底に置く鉄板の下面図である。
【図２】鉄板を鍋底に置き、柄付の長ネジをねじ込んだ状態の側面図である。
【符号の説明】
【０００８】１  鉄板
２  鍋
３  鍋底に置いた鉄板
４  沸騰蒸気を抜くための穴
５  鍋底から鉄板を浮かすための突起
６  鍋底から鉄板を取り出すため、柄付の長ネジをねじ込むネジ穴
７  柄付の長ネジ
８  柄
【図１】
2012055654.tif 000003
【図２】
2012055654.tif 000004
(57)【要約】【課題】  従来のカッターは、カッター本体（１）とカッター刃（２）が一直線上にあり、普通に刃物として使うのには何の支障も無いが、カッター本体（１）を手に持った状態で、平面上にてカッター刃（２）をその平面部分に平行に当てる事が困難であり作業性に欠ける面がある。【解決手段】  本発明の湾曲器具（３）をカッター刃（２）の背側に挿入装着する事によりカッター刃（２）を湾曲状にし、カッター本体（１）とカッター刃（２）の先端部分に角度を設けることで、カッター本体（１）を手に持った状態で平面上でもカッター刃（２）の先端部をその平面部分に平行に当てる事が可能となり切ったり削ったりする作業の範囲が広がり、作業性も向上する。【選択図】図４
2012055656.tif 000002
【特許請求の範囲】
【請求項１】
カッター刃（２）の背に装着出来るように溝を要し、カッター刃（２）を湾曲出来るように湾曲した形状の器具。
【発明の詳細な説明】
【技術分野】
【０００１】この発明は従来より使われているカッターをより使い易いように改善するものである。
【背景技術】
【０００２】従来のカッターは、カッター本体（１）とカッター刃（２）が一直線上にあり、普通に刃物として使うのには何の支障も無いが、カッター本体（１）を手に持った状態で平面上にてカッター刃（２）を平面部分に平行に当てる事が困難である。
【発明の概要】
【発明が解決しようとする課題】
【０００３】平面上にてもカッター刃（２）が平行に当たるようにする。
【課題を解決するための手段】
【０００４】本発明の湾曲器具（３）をカッター刃（２）の背側に溝側（３ａ）を挿入装着する事により、カッター刃（２）を湾曲させる事でカッター本体（１）とカッター刃（２）の先端部に角度が生じ、カッター本体（１）を手に持った状態で平面上であっても、その平面部分にカッター刃（２）の先端部を平行に当てる事ができる。
また、湾曲器具（３）を前後反転し挿入装着する事により湾曲方向を右と左に使い分ける事が出来る。
【発明の効果】
【０００５】平面上にてカッター刃（２）を平面部分に平行に当てる事が出来ることにより、切ったり削ったりする作業の範囲が広がり、作業性も向上する。
【図面の簡単な説明】
【０００６】
【図１】  本発明の湾曲器具（３）を装着した全体側面図
【図２】  本発明の湾曲器具（３）を装着したカッター刃（２）の背側図
【図３】  本発明の湾曲器具（３）を装着したカッター刃（２）の刃側図
【図４】  本発明の湾曲器具（３）を装着したカッター刃（２）の正面図
【図５】  本発明の湾曲器具（３）の側面図
【図６】  本発明の湾曲器具（３）の溝側図
【符号の説明】
【０００７】  １はカッター本体    ２はカッター刃    ３は湾曲器具    ３ａは湾曲器具の溝
【図１】
2012055656.tif 000003
【図２】
2012055656.tif 000004
【図３】
2012055656.tif 000005
【図４】
2012055656.tif 000006
【図５】
2012055656.tif 000007
【図６】
2012055656.tif 000008
(57)【要約】      （修正有）【課題】コップに固定出来るコースターであり、しっかり固定でき、コップの見た目を変えず、使いやすく、色々な形状及び大きさのコップに固定することができるコースターの提供。【解決手段】使用者はコップ４を手に持ち、コースター５の上に置く時、真ん中にある吸盤２にしっかりと固定する。コースターの若干曲がった形３は、コップが倒れないようにするためである。使用者は、コップをコースターに固定したまま持ち上げることができる。コースターを持ち上げる時その中にたまっている結露が使用者にこぼれないよう、端の先１が内側に曲がっている。コップをコースターから外す時に、使用者はそのコップを持ちながら、コースターをねじる。コースターを使用した後、中に入っている結露を流して出し、ふたたびコースターを使用することができる。【選択図】図１
2012055651.tif 000002
【特許請求の範囲】
【請求項１】
使用者はコップ（４）を手に持ち、コースター（５）の上に置く時、真ん中にある吸盤（２）にしっかりと固定する。コースターの若干曲がった（３）は、コップが倒れないようにしてある。使用者は、コップをコースターに固定したまま持ち上げることができる。コースターを持ち上げる時その中にたまっている結露が使用者にこぼれないよう、端の先（１）が内側に曲がっている。コップをコースターから外す時に、使用者はそのコップを持ちながら、コースターをねじる。コースターを使用した後、中に入っている結露を流して出し、ふたたびコースターを使用することができる。
【発明の詳細な説明】
【技術分野】
【０００１】テーブルの上や、使用者の衣服などが、コップから落ちた結露で濡れないための、コップに固定するコースターを提供する。
【先行技術文献】
【特許文献】
【０００２】
【特許文献１】２００６−７５２０６
【特許文献２】２００９−８９８７０
【発明の概要】
【発明が解決しようとする課題】
【０００３】今まで使用されている多くのコースターは、使用者が、冷たい飲み物が入っているコップなどをコースターから持ち上げよう  とすると、コップの底の部分から、結露が床や衣服に落ちてしまう。また  は、コースターがコップにくっついて、飲んでいる途中でコースターが落下する恐れもある。
現在まで、コップに固定出来るコースターは発明されてはいるが、それらの  コースターはコップのデザイン性、つまり見た目を変更し、使いづらいうえ、決まったコップの形や大きさにしか固定出来ないタイプだ。しっかりくっつき、コップの見た目を変えず、使いやすい、色んなコップの形や大きさにくっつくこと可能であるコースターを提供する。
【課題を解決するための手段】
【０００４】使用者はコップ（４）を手に持ち、コースター（５）の上に置く時、真ん中にある吸盤（２）にしっかりと固定する。コースターの若干曲がった形（３）は、コップが倒れないようにしてある。使用者は、コップをコースターに固定したまま持ち上げることができる。コースターを持ち上げる時その中にたまっている結露が使用者にこぼれないよう、端の先（１）が内側に曲がっている。コップをコースターから外す時に、使用者はそのコップを持ちながら、コースターをねじる。コースターを使用した後、中に入っている結露を流して出し、ふたたびコースターを使用することができる。
【発明の効果】
【０００５】コースターの素材はゴムとプラスチック。さまざまな色とデザインが可能。透明色も可能。会社や製品の広告宣伝なども出来る。コースターをくっつけたり、外したりすることが簡単なので、コップのデザインを変更せず使いやすいコースター。繰り返し使用できるので、使い捨てコースターよりエコの面もプラスである。このコースターは、家でもレストランやバーでも使われる。
【図面の簡単な説明】
【０００６】
【図１】コースターの側面図
【図２】コースターの鳥瞰図
【図１】
2012055651.tif 000003
【図２】
2012055651.tif 000004
(57)【要約】【課題】寝たきり老人に優しい  褥瘡の発生予防・治療に役立つマットレスの製作を課題とする。【解決手段】低反発性素材の特性を生かして、それを素材として  厚さ５〜１０センチメートルのマットレスを開発する。マットレスの大きさは自由とする【特許請求の範囲】
【請求項１】
低反撥素材を利用した褥瘡の予防及び治療に役立つマットレス
【発明の詳細な説明】
【技術分野】
【０００１】  老年者を医療・介護する病院・施設の従事者にとって、最も困っている事は、褥瘡である。その発生の予防及び治療のためのマットレスを医療現場に提供しようとするものである。
【背景技術】
【０００２】  従来の病院・施設のベッドのマットレスは、一般的に硬く、いわゆる床ずれとよばれる褥瘡ができやすかった。
【発明の開示】
【発明が解決しようとする課題】
【０００３】  褥瘡は、その発生を予防する事が最も大切である。しかし  現在の医療現場でこれを行うのは人手不足もあって実際上無理なのである。そこで  老人の体に優しいマットレスを提供する事を課題とする
【課題を解決するための手段】
【０００４】  低反発素材の性質を利用して、これをマットレスとする。
【発明の効果】
【０００５】  本発明が実施されれば褥瘡の予防・治療に革命的変化がおき、医療界全体の福音となるであろう。
【発明を実施するための最良の形態】
【０００６】  ５〜１０センチメートルの厚さの低反発素材でマットレスを作成する。
【実施例】
【０００７】略
【産業上に利用可能性】
【０００８】  このマットレスは量産でき、高齢者社会に及ぼす影響は大きいと考える
(57)【要約】【課題】ベッドの手摺を利用した仰臥横向き支え保持具を提供する。【解決手段】差し込みバンドと一体構造からなる中空軸に、左右に滑る角形中軸を設け、その中軸の端部にアーム回転軸を設け、そのアームの先端に体を支える体受けを設けた。アームの端に円板を設け、ボールとスプリングの圧力を利用するアーム自在回転防止装置を設けた事を特徴とする仰臥横向き支え保持具。【選択図】図３
2012055655.tif 000002
【特許請求の範囲】
【請求項１】
差し込みバンドと一体構造からなる中空軸に、左右に滑る角形中軸を設け、その中軸の端部にアーム回転軸を設け、そのアームの先端に体を支える体受けを設けた。アームの端に円板を設け、ボールとスプリングの圧力を利用するアーム自在回転防止装置を設けた事を特徴とする仰臥横向き支え保持具。
【発明の詳細な説明】
【技術分野】
【０００１】本発明は、仰臥横向きのからだを回転アームの体受けで保持する介護に関するものである。
【背景技術】
【０００２】従来、仰臥している体を横向きの姿勢に保つときは片方の手で体を押さえて介護していた。
【発明の開示】
【発明が解決しようとする課題】
【０００３】そのために、次のような問題点があった。
（イ）ベッド上の患者を一人で介護するとき体を横向きの姿勢を保つときは片方の手で体を押さえ一方の手で介護するため不便であった。
本発明は、これらの問題点を解決するためになされたものである。
【課題を解決するための手段】
【０００４】差し込みバンドと一体構造からなる中空軸に、左右に滑る角形中軸を設け、その中軸の端部にアーム回転軸を設け、そのアームの先端に背中を支える体受けを設けた。アーム回転軸にアーム自在回転を防止するスプリングを設けた。以上を特徴とする仰臥横向き支え保持具。
【発明の効果】
【０００５】ベッドの手摺りに簡単に装着できる。中軸の左右スライドにより体を支える位置が調節できる。体受けにより横向きの姿勢を保持できる。介護するとき両手の使用が可能になり介護が大変しやすくなる。床ずれ防止にも役立つ。
【発明を実施するための最良の形態】
【０００６】以下、本発明の実施の形態について説明する。
（イ）
差し込みバンドと一体構造からなる中空軸に、左右に滑る角形中軸を設け、その中軸の端部にアーム回転軸を設け、そのアームの先端に背中を支える体受けを設けた。アーム回転軸にアーム自在回転を防止する装置を設けた。
本発明は以上のような構成で、これを使用するときは、バンドを手摺り装着する。中軸を中空軸に通す。中軸を左右にスライドさせ体受けの位置を決める。体受けを背中に降ろす。背中と体受けとの間にマクラ等のクッション挟む。体受けにより横向きの姿勢か保持でき両手の使用が可能になり介護が大変しやすくなる。
【実施例１】
【０００７】図３に示すように、ベッドの手摺りにバンドを上から差し込みネジ挟み固定する。背中と体受けの間はクッションで調節する。
介護者の両手が使用でき介護が大変しやすくなる。
【図面の簡単な説明】
【０００８】
【図１】本発明の平面図
【図２】本発明の斜視図
【図３】本発明を手摺りに装着、アームを倒し体受けにより横向きの体を保持している実施例を示す実施例図
【符号の説明】
【０００９】１  中空軸
２  バンド
３  中軸
４  アーム回転軸
５  アーム
６  体受け
７  スプリング
８  ボール
９  袋ナット
１０ボール受け円板
【図１】
2012055655.tif 000003
【図２】
2012055655.tif 000004
【図３】
2012055655.tif 000005